(57)【要約】【課題】ワイヤロープの自動切替え構造である基本的概念は維持したまま、ワイヤロープの吊り本数を増やすことで、さらに重い重量の吊荷も安全に巻上げ・巻下しができるクレーンを提供する。【解決手段】フックブロックと連結体とを備え、連結体は、下部にｎ（ｎは２以上の整数）個の中間滑車が滑車の軸方向に連設され、フックブロック内の上部には、一対の上部滑車が切欠き溝を挟んで水平方向に両側設けられ、フックブロック内の略中央部には、ｎ−１個の下部滑車が中間滑車の鉛直方向に設けられ、ワイヤロープを巻上げて連結体を連結部に連結した後、ワイヤロープを巻下げたときには、中間滑車にワイヤロープが掛けられ２×（ｎ＋１）本吊り状態となり、ワイヤロープを巻上げて、連結体が切欠き溝に収納されワイヤロープが中間滑車の溝内に収まった状態で連結を解除したときには、連結体とフックブロックは一体に巻下げられ２本吊り状態に切替えられる構成。【選択図】図１
2020111432.tif 000002
【特許請求の範囲】
【請求項１】
一方がクレーンのジブトップに支持され、他方に連結部を備える吊掛け体と、
下部に吊フックが取り付けられ、上部に上向き開口の切欠き溝が設けられたフックブロックと、
前記切欠き溝に挿脱可能、且つ前記連結部に連結可能な連結体と、
を備え、
前記フックブロックは、ジブトップに取り付けられた２個の頂部滑車に巻掛けられたワイヤロープによって巻上げ・巻下しがなされるクレーンであって、
前記連結体は、下部にｎ（ｎは２以上の整数）個の中間滑車が滑車の軸方向に連設され、
前記フックブロック内の上部には、一対の上部滑車が前記切欠き溝を挟んで水平方向に両側設けられ、
前記フックブロック内の略中央部には、ｎ−１個の下部滑車が中間滑車の鉛直方向に設けられ、
ワイヤロープを巻上げて連結体を連結部に連結した後、ワイヤロープを巻下げたときには、中間滑車にワイヤロープが掛けられ２×（ｎ＋１）本吊り状態となり、ワイヤロープを巻上げて、連結体が切欠き溝に収納されワイヤロープが中間滑車の溝内に収まった状態で連結を解除したときには、連結体とフックブロックは一体に巻下げられ２本吊り状態に切替えられる構成となされている、クレーン。
【請求項２】
請求項１に記載のクレーンにおいて、
前記一対の上部滑車は、少なくとも略滑車１個分の距離を有して配置されている、
クレーン。
【請求項３】
請求項１又は請求項２に記載のクレーンにおいて、
前記一対の上部滑車は、どちらか一方が軸方向において他方に重ならない程度の距離を有して配置されている、
クレーン。
【請求項４】
請求項１〜請求項３の何れか１つに記載のクレーンにおいて、
前記下部シーブは、ｎ個の前記中間滑車間のセンターの位置に配置されている、
クレーン。
【請求項５】
請求項１〜請求項４の何れか１つに記載のクレーンにおいて、
一方の頂部滑車に巻掛けられたワイヤロープは、一方の上部滑車を経由し、滑車の軸方向に関して一方側の中間滑車に巻掛けられ、下部滑車に巻掛けられ、他方側の中間滑車に巻掛けられ、他方の上部滑車を経由し、他方の頂部滑車に巻掛けられた状態である、
クレーン。
【請求項６】
一方がクレーンのジブトップに支持され、他方に連結部を備える吊掛け体と、
下部に吊フックが取り付けられ、上部に上向き開口の切欠き溝が設けられたフックブロックと、
前記切欠き溝に挿脱可能、且つ前記連結部に連結可能な連結体と、
を備え、
前記フックブロックは、ジブトップに取り付けられた２個の頂部滑車に巻掛けられたワイヤロープによって巻上げ・巻下しがなされ、
前記連結体は、下部にｎ（ｎは２以上の整数）個の中間滑車が滑車の軸方向に連設され、
前記フックブロック内の上部には、一対の上部滑車が前記切欠き溝を挟んで水平方向に両側設けられ、
前記フックブロック内の略中央部には、ｎ−１個の下部滑車が中間滑車の鉛直方向に設けられ、
前記頂部滑車のうち一方からワイヤロープが垂らされ、前記一対の上部滑車を夫々経由し、他方の頂部滑車へワイヤロープが掛け回されることで、フックブロックを巻上げ・巻下し可能にするワイヤリング方法であって、
一対の上部滑車を夫々経由する過程において、
一方の上部滑車からワイヤローブが、ｎ個の中間滑車のうち該中間滑車の軸方向一方側に掛け回される工程ａと、
工程ａの後、ｎ−１個の下部滑車、或いはｎ−１個の下部滑車のうち該下部滑車の軸方向一方側に掛け回される工程ｂと、
工程ｂの後、中間滑車の他方、或いは中間滑車の軸方向一方側から他方側に向けて次番手の中間滑車に掛け回される工程ｃと、
を含み、
前記工程ａ−工程ｃの手順を少なくとも１回行った後に、
他方の上部滑車を経由させる、ワイヤリング方法。
【発明の詳細な説明】
【技術分野】
【０００１】
本発明は、建設工事用に使用され、吊荷の重量に応じて巻上げ・巻下しするワイヤロープの本数を切替るクレーンとそのワイヤリング方法に関する。
【背景技術】
【０００２】
建設工事現場に設置されて、吊荷の巻上げ・巻下しに使用されるクレーンには、所定本数のワイヤロープが取り付けられており、そのワイヤロープによって吊荷（フックブロック）を例えば、２本吊り状態で巻上げ・巻下しを行っている。
吊荷の重量が重い場合は、ジブを降ろして地上付近でワイヤロープを２本吊りの姿勢から４本吊りの姿勢へと手作業により半日以上かけて掛け替えている。
【０００３】
本出願人は、この手作業による作業性の非効率性を改善すべく、特許文献１に開示されるように、ジブに支持された吊掛け体と、下部に吊フックが固定されたフックブロックと、フックブロックに挿脱可能、且つ吊掛け体に連結可能な連結体等で構成され、連結体の下部には滑車が備えられ、フックブロックの内部には一対の滑車が水平方向に備えられ、フックブロックが巻上げられて連結体が吊掛け体に連結した後、フックブロックが巻下げられるとワイヤロープが２本吊りから４本吊りの姿勢に自動で切替わり、一方、連結体が吊掛け体から解除され、フックブロック内に格納されると、ワイヤロープが４本吊りから２本吊りの姿勢に自動で切替わるクレーンの複滑車機構を提供している。
【先行技術文献】
【特許文献】
【０００４】
【特許文献１】特開２０１３−７５４０６号公報
【発明の概要】
【発明が解決しようとする課題】
【０００５】
しかしながら、クレーンが風力発電やダム用途等の建設工事現場に設置される場合、従来のビルなどの建造物の吊荷の重量に比べて３０〜１５０ｔと重量が変わり、非常に重たくなる。それ故、特許文献１の４本吊りの姿勢では、ワイヤロープが太くなり、それによって減速機やシーブなどの構造が大きくなり、重量も重くなる。また、クレーン自体も大きくなるため、従来の手作業でのワイヤロープの掛け替えは、時間が非常にかかり非効率で危険な作業となる。
【０００６】
本発明は、かかる事情を鑑みてなされたものであり、その主な目的は、ワイヤロープの自動切替え構造である基本的概念は維持したまま、ワイヤロープの吊り本数を増やすことで、さらに重い重量の吊荷であっても安全に巻上げ・巻下しができるクレーンを提供することを目的とする。
【課題を解決するための手段】
【０００７】
本発明によれば、一方がクレーンのジブトップに支持され、他方に連結部を備える吊掛け体と、下部に吊フックが取り付けられ、上部に上向き開口の切欠き溝が設けられたフックブロックと、切欠き溝に挿脱可能、且つ連結部に連結可能な連結体と、を備え、フックブロックは、ジブトップに取り付けられた２個の頂部滑車に巻掛けられたワイヤロープによって巻上げ・巻下げがなされるクレーンであって、連結体は、下部にｎ（ｎは２以上の整数）個の中間滑車が滑車の軸方向に連設され、フックブロック内の上部には、一対の上部滑車が切欠き溝を挟んで水平方向に両側設けられ、フックブロック内の略中央部には、ｎ−１個の下部滑車が中間滑車の鉛直方向に設けられ、ワイヤロープを巻上げて連結体を連結部に連結した後、ワイヤロープを巻下げたときには、中間滑車にワイヤロープが掛けられ２×（ｎ＋１）本吊り状態となり、ワイヤロープを巻上げて、連結体が切欠き溝に収納されワイヤロープが中間滑車の溝内に収まった状態で連結を解除したときには、連結体とフックブロックは一体に巻下げられ２本吊り状態に切替えられる構成となされている、クレーンが提供される。
【０００８】
本発明に係るクレーンでは、２×（ｎ＋１）本掛けによって、重い吊荷であっても巻上げ・巻下しができる。また、ワイヤロープが常に中間滑車の溝内に収まった状態であるため、安全に確実に自動切替えが可能である。
【０００９】
好ましくは、前記クレーンにおいて、一対の上部滑車は、少なくとも略滑車１個分の距離を有して配置されている、クレーンが提供される。
【００１０】
好ましくは、前記クレーンにおいて、一対の上部滑車は、どちらか一方が軸方向において他方に重ならない程度の距離を有して配置されている、クレーンが提供される。
【００１１】
好ましくは、前記クレーンにおいて、下部シーブは、ｎ個の中間滑車間のセンターの位置に配置されている、クレーンが提供される。
【００１２】
好ましくは、前記クレーンにおいて、一方の頂部滑車に巻掛けられたワイヤロープは、一方の上部滑車を経由し、滑車の軸方向に関して一方側の中間滑車に巻掛けられ、下部滑車に巻掛けられ、他方側の中間滑車に巻掛けられ、他方の上部滑車を経由し、他方の頂部滑車に巻掛けられた状態である、クレーンが提供される。
【００１３】
本発明の別の観点によれば、一方がクレーンのジブトップに支持され、他方に連結部を備える吊掛け体と、下部に吊フックが取り付けられ、上部に上向き開口の切欠き溝が設けられたフックブロックと、切欠き溝に挿脱可能、且つ連結部に連結可能な連結体と、を備え、フックブロックは、ジブトップに取り付けられた２個の頂部滑車に巻掛けられたワイヤロープによって巻上げ・巻下しがなされ、連結体は、下部にｎ（ｎは２以上の整数）個の中間滑車が滑車の軸方向に連設され、フックブロック内の上部には、一対の上部滑車が切欠き溝を挟んで水平方向に両側設けられ、フックブロック内の略中央部には、ｎ−１個の下部滑車が中間滑車の鉛直方向に設けられ、頂部滑車のうち一方からワイヤロープが垂らされ、一対の上部滑車を夫々経由し、他方の頂部滑車へワイヤロープが掛け回されることで、フックブロックを巻上げ・巻下し可能にするワイヤリング方法であって、一対の上部滑車を夫々経由する過程において、一方の上部滑車からワイヤローブが、ｎ個の中間滑車のうち該中間滑車の軸方向一方側に掛け回される工程ａと、工程ａの後、ｎ−１個の下部滑車、或いはｎ−１個の下部滑車のうち該下部滑車の軸方向一方側に掛け回される工程ｂと、工程ｂの後、中間滑車の他方、或いは中間滑車の軸方向一方側から他方側に向けて次番手の中間滑車に掛け回される工程ｃと、を含み、工程ａ−工程ｃの手順を少なくとも１回行った後に、他方の上部滑車を経由させる、ワイヤリング方法が提供される。
【発明の効果】
【００１４】
本発明によれば、ワイヤロープの自動切替え構造である基本的概念は維持したまま、ワイヤロープの吊り本数を増やすことで、さらに重量の重たい吊荷でも巻上げ・巻下しができるクレーンを提供することができる。
また、ワイヤロープが常に中間滑車の溝内に収まった状態となるため、切替え時にワイヤロープのキャッチミスをすることなく、安全に確実にワイヤロープの切替えが可能である。
【図面の簡単な説明】
【００１５】
【図１】クレーンの２本吊り状態を示した図。
【図２】図２（ａ）は図１の側面図、図２（ｂ）は図１の矢視Ｙから見た平面図、図２（ｃ）は図 １の矢視Ｚから見た平面図。
【図３】図１のワイヤロープを巻上げた際の連結体の連結状態を示した図。
【図４】クレーンの６本吊り状態を示した図。
【図５】連結体であって、図５（ａ）は正面図、図５（ｂ）は側面図。
【図６】フックブロックであって、図６（ａ）は正面図、図６（ｂ）は側面図。
【図７】吊掛体であって、図７（ａ）は正面図、図７（ｂ）は側面図。
【発明を実施するための形態】
【００１６】
クレーンの好適な実施形態について、図面を用いて具体的に説明する。以下においては、便宜上、ジブクレーンに組み込む場合を例に挙げてクレーンを説明するが、それ以外のクレーン（天井クレーンや橋形クレーン、デリック等）にも好適に組み込むことができる。また、本発明は、以下の実施形態に限定されるものではないし、本発明の効果を奏する範囲を逸脱しない範囲で、適宜変更は可能である。
【００１７】
１．クレーンの概略構成
第１節では、クレーン１０の概略構成を説明する。図１は、クレーン１０の２本吊り状態を模式的に示している。図２（ａ）は、図１のフックブロックと連結体のワイヤロープを外した側面図、図２（ｂ）は図１の矢視Ｙから見た平面図、図２（ｃ）は図１の矢視Ｚから見た平面図を夫々示している。
クレーン１０は、クレーン本体の旋回盤上に搭載された巻上機（不図示）に取り付けられたワイヤロープ１１の“巻き取られ”又は“繰り出され”によって、フックブロック３０を巻上げ又は巻下しをなす構成となっている。
【００１８】
図１に示すように、巻上機から繰り出されたワイヤロープ１１は、ジブトップ１２に回転可能に設けられた一対の頂部滑車１３のうち、一方の頂部滑車１３に巻掛けられてから垂下げられ、フックブロック２０を経由して上向きに折り返して他方の頂部滑車１３に巻掛けられ、クレーン本体（不図示）に固定されている。
【００１９】
すなわち、起伏機が駆動していない状態で、巻上機が駆動されるとワイヤロープ１１は“巻き取られ”又は“繰り出され”、もってフックブロック２０が垂直に上昇（巻上げ）又は下降（巻下し）する構成となっている。
【００２０】
また、クレーン１０のジブトップ１２には、一対の頂部滑車１３間の略中央位置に吊掛体３０が支持されており、該吊掛体３０にフックブロック２０の上部に挿脱可能に格納された連結体４０が連結することで、フックブロック２０の吊り本数を自動的に切替えることが可能な構成となっている。
【００２１】
２．吊掛体３０の構成
第２節では、連結体４０を吊り掛ける吊掛体３０について説明する。
図７は、吊掛体３０であって、図７（ａ）は正面図、図７（ｂ）は側面図を夫々示している。図７に示すように、吊掛体３０は、一対のプレート３１と接合ピン３２（接合手段の一例）とを備え、各プレート３１は、上部にジブトップに支持される支持孔３３と下部に接合ピン３２が接合される接合孔３４を夫々設けている。
【００２２】
これにより、各プレート３１は、ジブトップ１２の一対の頂部滑車１３間の略中央位置に、連結体４０が挿脱可能な隙間ｓを有して支持され、連結体４０が隙間ｓに挿入された後に接合ピン３２によって接合することで、吊掛体３０と連結体４０との接合がなされる構成となっている。
【００２３】
また、このとき、正面視において、各プレート３１の下部は吊掛体３０の中心線上で上すぼみのテーパ状に形成されている。これにより、連結体４０は吊掛体３０に挿入される際、テーパ部によって誘導され隙間ｓに納まることで、吊掛体３０と確実に接合することができる。  
【００２４】
尚、本実施形態では、接合手段として接合ピン３２を備えているが、接合手段は接合ピン３２に限らず、ボルトで固定しても良いし、他の手段を用いても構わない。
また、連結体と接合ピン３２との接合は手作業によって行っても良いし、次に述べるように自動で行うようにしても良い。例えば、接合ピン３２の進行方向反対側に、シリンダなどの押出手段を設け、連結体４０が吊掛体３０に挿入時に検知手段（リミットスイッチなど）によって検知した信号をもとにシリンダを作動させることで、自動的に遠隔操作によって接合をするようにしても構わない。
【００２５】
３．連結体４０の構成
第３節では、吊掛体３０に吊り掛けられ、又はフックブロック２０内に格納される連結体４０について説明する。
図５は、連結体４０であって、図５（ａ）は正面図、図５（ｂ）は側面図を夫々示している。図５に示すように、連結体４０は、連結部４１と一対の滑車支持部４２等で構成されている。
【００２６】
連結部４１は、板状で形成され、上部には接合ピンと連結可能な連結孔４６が貫通されており、下端には回り止めピン４３が固定されている。これによって、連結体４０が後述のフックブロック２０の切欠き溝に挿入された際に、連結体４０が一体に回転することなく、垂直な姿勢で維持することができる。
【００２７】
各滑車支持部４２は、板状で形成され、図５（ｂ）に示すように、回り止めピン４３を跨って連結部４１に夫々間隔を有して固定されている。また、幅ｗは、後述のフックブロック２０の切欠き溝２２の幅ｊより長くなるように設けている。これによって、連結体４０が切欠き溝２２から外れることなく、後述のプレート２１によって連結体４０の動きを規制することができる。
【００２８】
また、各滑車支持部４２の各下部には、夫々を経由するガイドピン４４が嵌合されており、このガイドピン４４には、一対の滑車支持部４２間に中間滑車４５が回転可能な状態でガイドピン４４の軸方向にｎ（本実施形態では２）個連設されている。このガイドピン４４によって、連結体４０は、フックブロック２０の切欠き溝２２に案内され、フックブロック２０に確実に挿入することができる。
【００２９】
尚、回り止めピン４３とガイドピン４４の夫々の長さは、特段限定しないが、最低限の機能を果たす、後述のフックブロック２０の一対のプレート２１間の距離以上であって、各ピンの両端部がフックブロック２０の一対のプレート２１から突出する状態であれば構わない。
【００３０】
４．フックブロック２０の構成
第４節では、連結体４０が格納可能なフックブロック２０について説明する。
図６は、フックブロック２０であって、図６（ａ）は正面図、図６（ｂ）は側面図を夫々示している。図６に示すように、フックブロック２０は、一対のプレート２１内で複数の滑車を格納する構成とされている。
【００３１】
具体的には、図６（ａ）に示すように、一対のプレート２１は略逆さ三角形状をしており、上端の中央部から鉛直方向に所定の長さを有した切欠き溝２２が、夫々設けられている。
【００３２】
また、下部にはフックピン２３が夫々を経由するように嵌合されており、このフックピン２３に吊フック２４が嵌合されている。
【００３３】
また、上部には一対の上部滑車ピン２５が夫々のプレート２１を経由するとともに、切欠き溝２２を挟んで水平方向両側に嵌合されており、この各上部滑車ピン２５に上部滑車２６が夫々嵌合されている。
【００３４】
このとき、各上部滑車２６は、正面視において、一対の上部滑車２６との間に少なくとも滑車１個分が納まる間隔を有して夫々設けられており、且つ、図６（ｂ）に示すように、各上部滑車２６は、側面視において、どちらか一方が軸方向において他方に重ならない程度の距離を有して配置されている。
【００３５】
さらに、フックブロック２の略中央部（切欠き溝２２とフックピン２３との間）には、下部滑車ピン２７が夫々のプレート２１を経由するように嵌合されており、この下部滑車ピン２７にｎ−１（本実施形態では１）個の下部滑車２８が中間滑車の鉛直方向となる位置に嵌合され、且つ、図６（ｂ）に示すように、側面視において、一対の上部滑車２６間の中心に嵌合されている。尚、ｎ−１が複数個の場合は、下部滑車ピン２７の軸方向にｎ（本実施形態では２）個連設される。
【００３６】
このように、一対の上部滑車２６の間隔によって中間滑車４５を備えた連結体４０は、切欠き溝２２に挿入される際、中間滑車４５が各上部滑車２６に干渉することなく、確実に挿入することが可能となる。
【００３７】
５．ワイヤリング
以下、第１節〜第４節での構成において、図１〜図４を用いて、ワイヤリングを説明する。尚、図１、図３及び図４の各図面において、便宜上、正面視における右側を右、左側を左、手前側を手前、奥側を奥、天地の天側を上、地側を下と定義して説明する。
【００３８】
図１、図３及び図４に示すように、巻上機（不図示）から繰り出されたワイヤロープ１１は、ジブトップ１２に回転可能に設けられた一対の頂部滑車１３のうち、右の頂部滑車１３に巻掛けられてから垂下げられ、フックブロック２０に設けられた右の上部滑車２６に巻掛けられ（矢印Ｉ参照）、水平方向に送られてから連結体４０に設けられた手前の中間滑車４５に巻掛けられ（矢印ＩＩ参照）、その後、垂下げられ、フックブロック２０に設けられた下部滑車２８に巻掛けられ（矢印ＩＩＩ参照）、上向きに折り返され、奥の中間滑車に巻掛けられ（矢印ＩＶ参照）、水平方向に送られてから左の上部滑車２６に巻掛けられてから上向きに折り返して左の頂部滑車１３に巻掛けら、クレーン本体の旋回盤上に搭載された起伏機（不図示）に巻き付くようにしている。
【００３９】
このとき、図２（ａ）及び図２（ｃ）に示すように、右の上部滑車２６と手前の中間滑車４５は、各径方向において、同一線上となるように構成されている。同様に、左の上部滑車２６と奥の中間滑車４５も、各径方向において、同一線上となるように構成されている。
【００４０】
さらに、フックブロック２０の切欠き溝２２の深さｈは、連結体４０の中間滑車４５が切欠き溝２２の下部に収まっている際に、ワイヤロープ１１が中間滑車４５の溝深さｋの下部に常時収まるように設けられている。
【００４１】
これにより、フックブロック２０の掛け本数を切替える際に、必ず、中間滑車４５にワイヤロープ１１が掛け回されるため、確実に安全に切替えをすることが可能となる。
尚、矢印ＩＩ〜矢印ＩＶの手順は、中間滑車４５及び下部滑車２８の個数が増えれば、複数回行うことで、フックブロック２０の掛け本数を増やすことが可能となる。
【００４２】
すなわち、中間滑車４５に対する下部滑車２８の個数は、中間滑車４５の個数−１であるため、中間滑車４５の個数を３とした場合、下部滑車２８の個数は２となり、矢印ＩＩ〜矢印ＩＶの手順を２回行うことで、２本吊り状態から８本吊り状態に切替えることが可能となる。
このように、中間滑車４５の個数をピンの軸方向に増やし、それに伴い、下部滑車２８の個数も中間滑車４５の個数−１でピンの軸方向に増やすことで、フックブロック２０は、略逆さ三角形状を変えることなく、幅方向のみ長さを変えるだけで掛け本数を増やすことができ、部品のモジュール化にもなり、カスタマイズ性の向上となる。
【００４３】
６．切替え作用
次に、本実施形態による切替え作用を図１、図３及び図４を用いて説明する。
図１は、２本吊り状態を示しており、通常の揚重作業時は、ワイヤロープ１１によって２本吊り状態にあり、この時点ではフックブロック２０の切欠き溝２２には連結体４０が嵌挿されている。
【００４４】
まず、巻上機によりワイヤロープ１１が巻き取られていくと、フックブロック２０と連結体４０とが一体に巻上げられ、吊掛体３０の隙間ｓに連結体４０の連結部４１を進入することとなる。進入すると、連結部４１に設けられた連結孔４６に接合ピン３２が挿入され、図３に示すように、吊掛体３０と連結体４０とが強固に連結される。
この状態（吊掛体３０と連結体４０とが連結された状態）で、巻上機によりワイヤロープ１１が繰り出されていくと、図４に示すように、連結体４０の中間滑車４５にワイヤロープ１１が巻掛けられた状態でフックブロック２０のみが巻下されていき、６本吊り状態となる。
このとき、上述のように、各中間滑車４５には、ワイヤロープ１１が確実に巻掛けられているため、ワイヤロープ１１が滑車から外れてピンにワイヤロープ１１がかかることもなく、安全に２本吊り状態から６本吊り状態へと切替えをすることができる。
【００４５】
次に、６本吊り状態から２本吊り状態に戻す作用を図４を用いて説明する。
まず、巻上機によりワイヤロープ１１が巻き取られていくと、フックブロック２０が巻上げられ、吊掛体３０に固定されている連結体４０のガイドピン４４がフックブロック２０の切欠き溝２２に誘導されて侵入していく。切欠き溝２２の下部にあたると、巻上機による巻取りが停止し、接合ピン３２による接合が解除され、吊掛体３０と連結体４０とは分離可能となる。
このとき、連結体４０の回り止めピン４３は、切欠き溝２２内に格納されている。
この状態（吊掛体３０と連結体４０とが分離可能状態）で、巻上機によりワイヤロープ１１が繰り出されていくと、図１に示すように、フックブロック２０と連結体４０とが一体に巻下されていき、２本吊り状態となる。
このとき、回り止めピン４３は切欠き溝２２内に格納されているため、回り止めピン４３は切欠き溝２２によって回転方向の移動が規制され、連結体４０はガイドピン４４を支点として回転することなく、切欠き溝２２内に確実に格納された状態となる。
【００４６】
７．結言
以上のように、本実施形態によれば、建設工事用に使用され、吊荷の重量に応じて巻上げ・巻下しするワイヤロープの掛け本数を切替ることができるクレーンを実施することができる。
【００４７】
かかるクレーンは、一方がクレーンのジブトップに支持され、他方に連結部を備える吊掛け体と、下部に吊フックが取り付けられ、上部に上向き開口の切欠き溝が設けられたフックブロックと、切欠き溝に挿脱可能、且つ連結部に連結可能な連結体と、を備え、フックブロックは、ジブトップに取り付けられた２個の頂部滑車に巻掛けられたワイヤロープによって巻上げ・巻下しがなされるクレーンであって、連結体は、下部にｎ（ｎは２以上の整数）個の中間滑車が滑車の軸方向に連設され、フックブロック内の上部には、一対の上部滑車が切欠き溝を挟んで水平方向に両側設けられ、フックブロック内の略中央部には、ｎ−１個の下部滑車が中間滑車の鉛直方向に設けられ、ワイヤロープを巻上げて連結体を連結部に連結した後、ワイヤロープを巻下げたときには、中間滑車にワイヤロープが掛けられ２×（ｎ＋１）本吊り状態となり、ワイヤロープを巻上げて、連結体が切欠き溝に収納されワイヤロープが中間滑車の溝内に収まった状態で連結を解除したときには、連結体とフックブロックは一体に巻下げられ２本吊り状態に切替えられる構成とされる。
【００４８】
また、建設工事用に使用され、吊荷の重量に応じて巻上げ・巻下しするワイヤロープの掛け本数を切替ることができるワイヤリング方法を実施することができる。
【００４９】
かかるワイヤリング方法は、一方がクレーンのジブトップに支持され、他方に連結部を備える吊掛け体と、下部に吊フックが取り付けられ、上部に上向き開口の切欠き溝が設けられたフックブロックと、切欠き溝に挿脱可能、且つ連結部に連結可能な連結体と、を備え、フックブロックは、ジブトップに取り付けられた２個の頂部滑車に巻掛けられたワイヤロープによって巻上げ・巻下しがなされ、連結体は、下部にｎ（ｎは２以上の整数）個の中間滑車が滑車の軸方向に連設され、フックブロック内の上部には、一対の上部滑車が切欠き溝を挟んで水平方向に両側設けられ、フックブロック内の略中央部には、ｎ−１個の下部滑車が中間滑車の鉛直方向に設けられ、頂部滑車のうち一方からワイヤロープが垂らされ、一対の上部滑車を夫々経由し、他方の頂部滑車へワイヤロープが掛け回されることで、フックブロックを巻上げ・巻下し可能にするワイヤリング方法であって、一対の上部滑車を夫々経由する過程において、一方の上部滑車からワイヤローブが、ｎ個の中間滑車のうち該中間滑車の軸方向一方側に掛け回される工程ａと、工程ａの後、ｎ−１個の下部滑車、或いはｎ−１個の下部滑車のうち該下部滑車の軸方向一方側に掛け回される工程ｂと、工程ｂの後、中間滑車の他方、或いは中間滑車の軸方向一方側から他方側に向けて次番手の中間滑車に掛け回される工程ｃと、を含み、工程ａ−工程ｃの手順を少なくとも１回行った後に、他方の上部滑車を経由される。
【符号の説明】
【００５０】
１０      クレーン
１１      ワイヤロープ
１２      ジブトップ
１３      頂部滑車
２０      フックブロック
２２      切欠き溝
２４      吊フック
２６      上部滑車
２８      下部滑車
３０      吊掛体
４０      連結体
４１      連結部
４５      中間滑車   
【図１】
2020111432.tif 000003
【図２】
2020111432.tif 000004
【図３】
2020111432.tif 000005
【図４】
2020111432.tif 000006
【図５】
2020111432.tif 000007
【図６】
2020111432.tif 000008
【図７】
2020111432.tif 000009